(57)【要約】【課題】放電灯への電流供給状態を適切に検出できる点灯装置、点灯制御装置及びプロジェクターを提供する。【解決手段】放電灯にランプ電力を供給して、当該放電灯を点灯させる点灯装置６であって、一次巻線６４２１及び二次巻線６４２２を備えたトランス６４２を有し、放電灯の電極Ｅに印加する高電圧パルスを発生させるパルス生成回路６４と、一次巻線６４２１に流れる電流を検出する第１検出部６５とを備える。具体的には、点灯装置６の動作を制御する制御装置７が、第１検出部６５の検出結果に基づいて点灯装置６を制御する。【選択図】図２
2011060684.tif 000002
【特許請求の範囲】
【請求項１】
放電灯にランプ電力を供給して、当該放電灯を点灯させる点灯装置であって、
一次巻線及び二次巻線を備えたトランスを有し、前記放電灯の電極に印加する高電圧パルスを発生させるパルス生成回路と、
前記一次巻線に流れる電流を検出する第１検出手段とを備える
ことを特徴とする点灯装置。
【請求項２】
請求項１に記載の点灯装置と、
前記点灯装置の動作を制御する制御装置とを備え、
前記制御装置は、前記第１検出手段の検出結果に基づいて前記点灯装置を制御することを特徴とする点灯制御装置。
【請求項３】
請求項２に記載の点灯制御装置において、
前記点灯装置は、
直流電流を交流電流に変換し、当該交流電流を前記パルス生成回路に供給する変換回路と、
前記変換回路に供給される直流電流を検出する第２検出手段とを備え、
前記制御装置は、前記第１検出手段及び前記第２検出手段のそれぞれの検出結果に基づいて前記点灯装置を制御することを特徴とする点灯制御装置。
【請求項４】
請求項２又は請求項３に記載の点灯制御装置と、電極を有し、前記点灯制御装置により点灯される放電灯とを備えることを特徴とするプロジェクター。
【発明の詳細な説明】
【技術分野】
【０００１】
本発明は、放電灯を点灯させる点灯装置、点灯制御装置及びプロジェクターに関する。
【背景技術】
【０００２】
従来、光源と、当該光源から出射された光束を変調して、画像情報に応じた画像を形成する光変調装置と、当該画像を投射する投射光学装置とを備えたプロジェクターが知られている。このような光源として、内部に一対の電極及び放電物質が封入される放電空間が形成された超高圧水銀ランプ等の放電灯が採用されることが多く、この場合には、当該放電灯の点灯を制御する点灯制御装置が採用される。このような点灯制御装置として、放電灯にランプ電力を供給して当該放電灯を点灯させる点灯装置と、当該点灯装置の動作を制御する制御装置とを備えたものが知られている（例えば、特許文献１参照）。
【０００３】
この特許文献１に記載の高圧放電灯点灯装置は、降圧チョッパー回路、フルブリッジ回路、共振回路及びイグナイター回路を備えた構成とされている。
降圧チョッパー回路は、直流電源部から入力される電圧を降圧して、フルブリッジ回路へ出力する。フルブリッジ回路は、降圧チョッパー回路の制限された直流出力を交流出力に変換し高圧放電灯に供給する。共振回路は、フルブリッジ回路のスイッチング動作により共振して高電圧を発生する。イグナイター回路は、共振回路により発生した高電圧を利用して高圧放電灯を始動させるためのパルス電圧を発生させる。
【先行技術文献】
【特許文献】
【０００４】
【特許文献１】特開２００９−５４３６５号公報
【発明の概要】
【発明が解決しようとする課題】
【０００５】
ここで、前述した特許文献１の点灯装置では、フルブリッジ回路の下流側に共振回路等によって高電圧が発生するが、基板パターン間に十分な絶縁距離を確保することが困難であるため、当該共振回路からイグナイター回路までの回路に部品故障、トラッキング等の不具合が生じる可能性がある。しかしながら、当該点灯装置では、フルブリッジ回路の前段（上流側）で直流電流を検出しているので、放電灯への電流の供給が正常に行われているか、不具合が生じた箇所までしか電流が流れていないのかを適切に判断することができないという問題があった。
【０００６】
本発明の目的は、放電灯への電流供給状態を適切に検出できる点灯装置、点灯制御装置及びプロジェクターを提供することである。
【課題を解決するための手段】
【０００７】
前記した目的を達成するために、本発明の点灯装置は、放電灯にランプ電力を供給して、当該放電灯を点灯させる点灯装置であって、一次巻線及び二次巻線を備えたトランスを有し、前記放電灯の電極に印加する高電圧パルスを発生させるパルス生成回路と、前記一次巻線に流れる電流を検出する第１検出手段とを備えることを特徴とする。
【０００８】
このような点灯装置により点灯される放電灯としては、超高圧水銀ランプ等の光源ランプを挙げることができる。
【０００９】
本発明によれば、第１検出手段によって、トランスの一次巻線に流れる電流が検出されるので、当該一次巻線の上流側の回路等に不具合が発生したか否かを、第１検出手段により電流が検出されたか否かによって判断することができる。従って、放電灯に正常に電流が流れているか否かを適切に判断することができる。なお、トランスから放電灯の電極との間に回路が設けられている場合でも、当該回路は、高電圧が印加されることを前提として設計されるので、不具合が生じる可能性は低い。
ここで、トランスから放電灯に供給される電流を検出して、放電灯への電流の供給状態を確認することも考えられる。しかしながら、トランスの出力側には、非常に高い電圧が発生するため、耐高電圧等を考慮する必要があり、検出手段の構成が複雑化する。
これに対し、本発明では、第１検出手段は、トランスの二次巻線からの出力電流に比べて比較的電圧が低いトランスの一次巻線に流れる電流を検出する。これによれば、第１検出手段に耐高電圧等の処置を施す必要がないので、当該第１検出手段の構成を簡略化することができる。
【００１０】
また、本発明の点灯制御装置は、前述の点灯装置と、前記点灯装置の動作を制御する制御装置とを備え、前記制御装置は、前記第１検出手段の検出結果に基づいて前記点灯装置を制御することを特徴とする。
本発明によれば、制御装置が、第１検出手段の検出結果に基づいて点灯装置を制御するので、点灯装置の動作状態に応じて、適切に点灯装置の動作を制御することができる。例えば、第１検出手段によって電流が検出されない場合に、点灯装置に不具合が生じているものと制御装置が判断して、当該制御装置が点灯装置に放電灯への電源の供給を迅速に停止させることも可能である。
【００１１】
本発明では、前記点灯装置は、直流電流を交流電流に変換し、当該交流電流を前記パルス生成回路に供給する変換回路と、前記変換回路に供給される直流電流を検出する第２検出手段とを備え、前記制御装置は、前記第１検出手段及び前記第２検出手段のそれぞれの検出結果に基づいて前記点灯装置を制御することが好ましい。
本発明によれば、第２検出手段によって、変換回路に供給される直流電流が検出される。これによれば、例えば、第１検出手段では電流が検出されないにもかかわらず、第２検出手段で電流が検出された場合に、変換回路とトランスとの間で部品故障、トラッキング、ショート等の不具合が生じたと判断することができる。また、第２検出手段により、電流が検出されない場合には、変換回路に電流を供給する回路等に不具合が生じたと判断することができる。従って、電流が適切に流れているか否かを、より適切に把握することができるほか、不具合が生じた箇所を特定しやすくすることができる。
【００１２】
本発明のプロジェクターは、前述の点灯制御装置と、電極を有し、前記点灯制御装置により点灯される放電灯とを備えることを特徴とする。
本発明のプロジェクターでは、前述の点灯制御装置と同様の効果を奏することができる。
【図面の簡単な説明】
【００１３】
【図１】本発明の一実施形態に係るプロジェクターの構成を示す模式図。
【図２】前記実施形態における点灯制御装置の構成を示す図。
【発明を実施するための形態】
【００１４】
以下、本発明の一実施形態を図面に基づいて説明する。
図１は、本実施形態に係るプロジェクター１の構成を示す模式図である。
本実施形態に係るプロジェクター１は、内部に設けられた光源装置４１１から出射された光束を変調して、画像情報に応じた画像を形成し、当該画像をスクリーン等の被投射面上に拡大投射するものである。このプロジェクター１は、図１に示すように、外装筐体２、投射光学装置３及び画像形成装置４を備える。この他、プロジェクター１は、当該プロジェクター１内部を冷却する冷却ファン等で構成される冷却ユニット９１、プロジェクター１内部の各構成部材に電力を供給する電源ユニット９２、及び、プロジェクター１全体を制御する制御ユニット９３等を備える。
【００１５】
〔外装筐体及び投射光学装置の構成〕
外装筐体２は、合成樹脂又は金属により全体略直方体状に形成された筐体であり、前述の各装置３，４及び各ユニット９１〜９３等を内部に収納配置する。
投射光学装置３は、後述する画像形成装置４にて形成された画像を被投射面上に結像させるとともに、当該画像を拡大投射する。この投射光学装置３は、図示を省略するが、筒状の鏡筒内に複数のレンズが収納された組レンズとして構成されている。
【００１６】
〔画像形成装置の構成〕
画像形成装置４は、前述の制御ユニット９３による制御の下、画像情報に応じた画像光を形成する光学装置である。この画像形成装置４は、照明光学装置４１、色分離光学装置４２、リレー光学装置４３及び電気光学装置４４と、これらを内部に設定された照明光軸Ａ上の所定位置に収納配置するほか、投射光学装置３を支持する光学部品用筐体４５とを備える。
【００１７】
照明光学装置４１は、光源装置４１１、一対のレンズアレイ４１２，４１３、偏光変換素子４１４及び重畳レンズ４１５を備える。
色分離光学装置４２は、ダイクロイックミラー４２１，４２２及び反射ミラー４２３を備え、リレー光学装置４３は、入射側レンズ４３１、リレーレンズ４３３及び反射ミラー４３２，４３４を備える。
電気光学装置４４は、フィールドレンズ４４１と、光変調装置としての３つの液晶パネル４４２（赤色光用、緑色光用及び青色光用の液晶パネルを、それぞれ４４２Ｒ，４４２Ｇ，４４２Ｂとする）と、それぞれ３つの入射側偏光板４４３、視野角補償板４４４及び出射側偏光板４４５と、色合成光学装置としてのクロスダイクロイックプリズム４４６とを備える。
【００１８】
このような画像形成装置４では、照明光学装置４１により照明領域内の照度が略均一化された光束が出射され、当該光束は、色分離光学装置４２により、赤（Ｒ），緑（Ｇ），青（Ｂ）の３つの色光に分離される。これら分離された各色光は、各液晶パネル４４２にて画像情報に応じてそれぞれ変調され、色光毎の画像が形成される。そして、当該色光毎の画像は、クロスダイクロイックプリズム４４６にて合成され、投射光学装置３により被投射面上に拡大投射される。
【００１９】
〔光源装置の構成〕
光源装置４１１は、図１に示すように、放電灯４１６と、主反射鏡４１７及び副反射鏡４１８と、平行化凹レンズ４１９と、これらを内部に収納するハウジング（図示省略）と、放電灯４１６の点灯を制御する点灯制御装置５とを備える。
このうち、放電灯４１６は、内部に形成された放電空間内に一対の電極Ｅ（Ｅ１，Ｅ２）（図２参照）及び放電物質が封入された略球状を有する発光部４１６１と、当該発光部４１６１の両端から互いに離間する方向に延出する一対の封止部４１６２，４１６３とを有する。このような放電灯として、例えば、超高圧水銀ランプ等を採用できる。
【００２０】
主反射鏡４１７は、レンズアレイ４１２から離間する側の封止部４１６２に接着剤により固定される。この主反射鏡４１７の内側には、凹曲面状の反射面が形成されており、当該反射面により発光部４１６１から入射された光を反射させて、照明光軸Ａ上の第２焦点に収束させる。
副反射鏡４１８は、発光部４１６１における封止部４１６３側（主反射鏡４１７側とは反対側）を覆うガラス製の成形品である。この副反射鏡４１８は、当該発光部４１６１の外形に沿う形状を有し、発光部４１６１と対向する面には、反射面が形成されている。そして、副反射鏡４１８は、発光部４１６１から出射された光のうち、主反射鏡４１７側とは反対側に射出された光を、当該反射面により反射させて、主反射鏡４１７の反射面に入射させる。これにより、発光部４１６１から光源装置４１１の光束出射方向の先端側に直接射出され、かつ、レンズアレイ４１２に入射しない光の発生を抑えることができる。
平行化凹レンズ４１９は、主反射鏡４１７にて反射され収束される光束を照明光軸Ａに対して平行化する。
【００２１】
〔点灯制御装置の構成〕
図２は、点灯制御装置５の構成を示す図である。
点灯制御装置５は、図２に示すように、前述の電源ユニット９２から供給される直流電流を交流電流に変換して放電灯４１６の電極Ｅ（Ｅ１，Ｅ２）に出力して、当該放電灯４１６を点灯させる点灯装置６と、前述の制御ユニット９３の制御下で点灯装置６を制御する制御装置７とを備える。
【００２２】
〔点灯装置の構成〕
点灯装置６は、降圧回路６１、変換回路６２、共振回路６３、パルス生成回路６４、第１検出部６５及び第２検出部６６を備える。
降圧回路６１は、ダウンチョッパー回路であり、制御装置７の制御の下、電源ユニット９２から入力される直流電流（例えば、略３８０Ｖ）を、放電灯４１６に適した電圧（例えば、略５０Ｖ〜１５０Ｖ）に降下させる回路である。この降圧回路６１は、詳しい図示を省略するが、例えば、直列接続されるスイッチング素子としてのＦＥＴ（Field Effect Transistor）及びコイルと、これらの素子から分岐して接続されるダイオード及びコンデンサーとを備える。これらのうち、ＦＥＴは、制御装置７により印加されるゲート電圧に応じて、入力される直流電流を所望の電圧に降下させる。また、コイル、ダイオード及びコンデンサーは、入力される直流電流の高周波成分の除去、整流及び定電力化を行う。
【００２３】
変換回路６２は、インバーター回路であり、入力される直流電流を交流電流に変換する。この変換回路６２は、一対のＦＥＴ６２１及び一対のＦＥＴ６２２を備えたブリッジ回路として構成されている。このブリッジ回路には、降圧回路６１を経て整流された直流電流が入力される。そして、後述する制御装置７によりＦＥＴ６２１及びＦＥＴ６２２にゲート電圧が印加されると、一対のＦＥＴ６２１を含む経路と、一対のＦＥＴ６２２を含む経路とが交互に短絡して電流が流れ、これにより、交流電流が生成される。この変換回路６２は、放電灯４１６の点灯前では高周波数（例えば１０ｋＨｚ以上）で駆動され、点灯後では低周波数（例えば１ｋＨｚ以下）で駆動される。
【００２４】
共振回路６３は、前述のブリッジ回路のスイッチング動作に応じて、入力される電流に共振による高電圧を発生させる回路である。この共振回路６３は、変換回路６２の出力側で、前述の一対のＦＥＴ６２１を含む経路上に直列に接続されたコイル６３１と、前述の一対のＦＥＴ６２２を含む経路上に直列に接続されたコイル６３２と、これらコイル６３１，６３２の出力端に直列に接続されたコンデンサー６３３とを備える。この共振回路６３の共振周波数は、例えば、前述した高周波数で変換回路６２が駆動される場合における当該高周波数の奇数倍（具体的には３倍又は５倍）近くの値に設定されている。換言すると、後述するパルス生成回路６４により高電圧パルスを生成する際には、変換回路６２の駆動周波数は、共振回路６３の共振周波数を奇数で除算した値に近い値に設定される。これにより、変換回路６２が高周波数で駆動する際に、高電圧（例えば、数ｋＶ）が発生される。
【００２５】
パルス生成回路６４は、イグナイター回路であり、放電灯４１６の点灯起動時に動作する。具体的に、パルス生成回路６４は、電極Ｅに高電圧パルスを出力して当該電極Ｅ間の絶縁破壊を行い、放電灯４１６の起動を促す。このパルス生成回路６４は、共振回路６３と放電灯４１６との間に、当該放電灯４１６と並列となるように接続されている。このようなパルス生成回路６４は、一次回路６４１と、イグナイタートランス（以下、「トランス」と略す場合がある）６４２とを備える。
【００２６】
一次回路６４１は、抵抗６４１１、ダイオード６４１２、コンデンサー６４１３及びスイッチング素子としてのＦＥＴ６４１４を有する。この一次回路６４１では、共振回路６３から入力される電流は、抵抗６４１１を介してダイオード６４１２により整流された後、コンデンサー６４１３に印加され、当該コンデンサー６４１３に電荷が蓄積される。そして、当該コンデンサー６４１３に十分な電荷が蓄積された後、制御装置７によりトリガー信号としてのゲート電圧がＦＥＴ６４１４に印加されると、ＦＥＴ６４１４はオン状態（導通状態）となり、コンデンサー６４１３に蓄えられた電荷が解放される。これにより、ＦＥＴ６４１４を介して、トランス６４２の一次巻線６４２１に大きなパルス電流が流れる。
【００２７】
トランス６４２は、一次巻線６４２１及び二次巻線６４２２を有する。これらのうち、一次巻線６４２１は、前述の一次回路６４１の出力端に接続される。また、二次巻線６４２２の入力端は共振回路６３に接続され、出力端は電極Ｅ（Ｅ１，Ｅ２）に接続される。
このようなトランス６４２は、一次巻線６４２１に流れる電流に応じて、二次巻線６４２２に流れる電流を変圧（昇圧）する。このため、一次巻線６４２１に前述のパルス電流が流れると、二次巻線６４２２に高電圧（例えば、略１０ｋＶ）のパルスが生じ、当該高電圧のパルスは、電極Ｅに印加される。これにより、電極Ｅ１，Ｅ２間の絶縁が破壊され、当該電極Ｅ１，Ｅ２間の電気的導通が確保されて放電灯４１６が点灯する。
【００２８】
このようにして放電灯４１６が点灯すると、当該放電灯４１６は定電圧負荷（略１０〜１５０Ｖ）で動作し、後述する制御装置７が降圧回路６１の出力電圧及び出力電流に基づいて、定電力制御を行う。なお、この出力電流の検出は、後述する第２検出部６６によって検出される。
【００２９】
第１検出部６５は、本発明の第１検出手段に相当し、前述の一次回路６４１に接続され、当該一次回路６４１を介してトランス６４２の一次巻線６４２１に流れる電流を検出する。
この第１検出部６５は、コンデンサー６５１と、抵抗６５２と、抵抗６５３とを備えて構成される。
コンデンサー６５１の一端は、一次回路６４１のダイオード６４１２とコンデンサー６４１３とを結ぶ経路に接続されている。また、コンデンサー６５１の他端は、抵抗６５２に接続されている。
抵抗６５２及び抵抗６５３は、直列に接続されて分圧回路を構成し、当該分圧回路の出力端は、制御装置７に接続されている。なお、抵抗６５３は、コンデンサー６４１３の出力端とともに、ＦＥＴ６４１４のソースに接続される。
【００３０】
第２検出部６６は、本発明の第２検出手段に相当する。この第２検出部６６は、降圧回路６１と変換回路６２との間に設けられ、降圧回路６１から変換回路６２に供給される電流を検出する。
このような第２検出部６６は、電流検出用の抵抗６６１で構成される。この抵抗６６１は、降圧回路６１と変換回路６２の間の低電位側の電源ラインに直列に接続され、当該抵抗６６１の変換回路６２側は、制御装置７と接続されている。
【００３１】
〔制御装置の構成〕
制御装置７は、前述のように、制御ユニット９３の制御の下、第１検出部６５に基づいて、点灯装置６の動作を制御する。例えば、制御装置７は、前述のように、降圧回路６１のＦＥＴにゲート電圧を印加して、当該降圧回路６１から変換回路６２に供給される電流を降圧する。
また、制御装置７は、変換回路６２を構成する各ＦＥＴ６２１，６２２と接続され、当該各ＦＥＴ６２１，６２２にゲート電圧を出力して、当該変換回路６２により直流電流から交流電流を生じさせる。この際、制御装置７は、変換回路６２の駆動周波数を変動させることで、前述の周波数の交流電流を生成し、前述のように、一次回路６４１のＦＥＴ６４１４にゲート電圧を印加させる。
【００３２】
また、前述したように、放電灯４１６の点灯後、制御装置７は、変換回路６２を低周波数で駆動させるため、共振回路６３による高電圧は発生しない。また、制御装置７は、放電灯４１６の点灯後は、パルス生成回路６４の動作を停止させる。このため、放電灯４１６の点灯後は、共振回路６３を構成するコイル６３１，６３２及びトランス６４２の二次巻線６４２２は、単なるインダクタンスとして機能する。
【００３３】
また、放電灯４１６を点灯している状態での放電灯４１６のランプ電流は、例えば、数ｋＨｚ以下（具体的には、４０〜４００Ｈｚ程度）の方形波であり、トランス６４２の二次巻線６４２２にこの電流が流れると、トランス６４２の一次巻線６４２１に電圧が発生する。なお、方形波電流の反転時に、正負のパルス電圧が生じる。
従って、放電灯４１６が正常に点灯している状態では、第１検出部６５に電流が入力されるので制御装置７に第１検出部６５を介して電流が入力されることになる。この際においても、第２検出部６６を介しての制御装置７への電流の入力は継続される。
【００３４】
そして、制御装置７は、前述のように第１検出部６５及び第２検出部６６による電流の検出結果、すなわち、前記判定結果に基づいて点灯装置６の動作を制御する。例えば、第１検出部６５と第２検出部６６の両方から電流が入力された場合には、放電灯４１６の電極Ｅ１，Ｅ２間に適切に電流が流れていると判断して、点灯装置６による点灯を継続する。一方、制御装置７は、第１検出部６５及び第２検出部６６の少なくともいずれかから電流が入力されなかった場合には、点灯装置５を構成する回路に不具合が発生していると判断して、当該点灯装置６による放電灯の点灯を停止させる。
【００３５】
以上説明した本実施形態に係るプロジェクター１によれば、以下の効果がある。
第１検出部６５が、トランス６４２の一次巻線６４２１に流れる電流を検出するため、トランス６４２の上流側の回路等に不具合が発生した場合には、当該不具合により第１検出部６５で電流が検出されないこととなる。
従って、一次巻線６４２１の上流側の回路等に不具合が発生したか否かを、第１検出部６４５により電流が検出されたか否かによって判断することができる。
第１検出部６５は、トランス６４２の二次巻線６４２２からの出力電流に比べて比較的電圧が低い、一次巻線６４２１に流れる電流を検出する。これによれば、第１検出部６５に耐高電圧等の対策を施す必要がないので、第１検出部６５の構成を簡略化することができる。
【００３６】
制御装置７が、第１検出部６５の検出結果に基づいて点灯装置６を制御するので、点灯装置６の動作状態に応じて、適切に点灯装置６の動作（継続又は停止）を制御することができる。具体的には、少なくとも第１検出部６５によって電流が検出されない場合には、制御装置７は、点灯装置６の回路等に不具合が生じているものと判断して、放電灯４１６への電源の供給を迅速に停止することができる。
【００３７】
第２検出部６６が、変換回路６２に供給される直流電流を検出するので、点灯装置６において不具合が生じている箇所を特定しやすくすることができる。すなわち、第１検出部６５では電流が検出されないにもかかわらず、第２検出部６６で電流が検出された場合には、変換回路６２とトランス６４２との間に不具合が生じていると判断することができる。また、第１検出部６５及び第２検出部６６のそれぞれで電流が検出されない場合には、変換回路６２の上流側、例えば、降圧回路６１に不具合が生じていると判断することができる。
【００３８】
〔実施形態の変形〕
本発明は前述の実施形態に限定されるものではなく、本発明の目的を達成できる範囲での変形、改良等は本発明に含まれるものである。
前記実施形態では、変換回路６２とパルス生成回路６４の間に、共振回路６３を設けたが、本発明はこれに限らない。パルス生成回路６４が、放電灯４１６の電極Ｅ１，Ｅ２間の絶縁を破壊するのに十分な高電圧を出力するものであれば、共振回路６３を省略し、変換回路６２の出力をパルス生成回路６４に供給する構成としてもよい。
また、点灯装置６の回路構成も前記実施形態に示したものに限らない。例えば、制御装置７の仕様に応じて、波形成形回路及び保護回路等を付加してもよい。
【００３９】
前記実施形態では、第１検出部６５は、コンデンサー６５１及び抵抗６５２，６５３を有する構成としたが、本発明はこれに限らない。すなわち、トランス６４２の一次巻線６４２１に流れる電流を検出できるものであれば、他の回路構成によって構成してもよい。
【００４０】
前記実施形態では、パルス生成回路６４は、スイッチング素子として、ＦＥＴ６４１４を有するとしたが、本発明はこれに限らない。すなわち、入力されるトリガー信号に応じて、所定の信号入力に応じて、高電圧パルスを電極Ｅに印加することが可能であれば、他の構成でもよい。また、他のトランジスター及びサイリスター等の他のスイッチング素子を採用してもよいし、放電ギャップを採用してもよい。
【００４１】
前記実施形態では、第１検出部６５の他に第２検出部６６を設け、制御装置７は、第１検出部６５及び第２検出部６６の検出結果に基づいて点灯装置６の動作を制御する構成としたが、本発明はこれに限らない。例えば、第２検出部６６を省略し、制御装置７が、第１検出部６５の検出結果のみに基づいて点灯装置６の動作を制御する構成であってもよい。
【００４２】
前記実施形態では、３つの液晶パネル４４２Ｒ，４４２Ｇ，４４２Ｂを備えるプロジェクター１を挙げたが、本発明はこれに限らない。すなわち、２つ以下、あるいは、４つ以上の液晶パネルを用いたプロジェクターにも、本発明を適用可能である。
前記実施形態では、画像形成装置４は平面視略Ｌ字形状を有した構成を説明したが、これに限らず、例えば、平面視略Ｕ字形状を有した構成を採用してもよい。
前記実施形態では、光束入射面と光束射出面とが異なる透過型の液晶パネル４４２を用いていたが、光入射面と光射出面とが同一となる反射型の液晶パネルを用いてもよい。
【００４３】
前記実施形態では、光変調装置として液晶パネル４４２を備えたプロジェクター１を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクターにも、本発明を適用することも可能である。このような光変調装置を用いた場合、光束入射側及び光束射出側の偏光板４４３，４４５は省略することができる。
【００４４】
前記実施形態では、放電灯４１６の点灯を制御する点灯制御装置５を、プロジェクター１に採用したが、本発明はこれに限らない。すなわち、このような点灯制御装置５は、スタンド等の照明装置に利用することも可能である。更に、当該点灯制御装置５を構成する点灯装置６を単体で利用することも可能である。
【産業上の利用可能性】
【００４５】
本発明は、放電灯の点灯装置に利用でき、特にプロジェクターの点灯制御装置に好適に利用することができる。
【符号の説明】
【００４６】
１…プロジェクター、５…点灯制御装置、６…点灯装置、７…制御装置、４１６…放電灯、６２…変換回路、６３…共振回路、６４…パルス生成回路、６５…第１検出部，６６…第２検出部、６４１…一次回路、６４２…トランス、６４２１…一次巻線、６４２２…二次巻線、６４１４…ＦＥＴ（スイッチング素子）、Ｅ（Ｅ１，Ｅ２）…電極。
【図１】
2011060684.tif 000003
【図２】
2011060684.tif 000004